(57)【要約】【課題】カートン用のジッパーや切れ目線の切断構造において、切断後のブランクの切断線の見栄えがよく、また、少ない力で破断を行なうことができ、破断の際の感触が一定で円滑な破断を行なうことができる切断構造を提供する。【解決手段】ジッパーＡは、複数の切込み１０からなる切れ目線と複数の切込み２０からなる切れ目線とを有し、切込み１０と切込み２０は互いに対称に形成され、切込み１０は、第１傾斜部１２と、第２傾斜部１４とを有し、端部ｍ１１と接触点ｍ１２とが端部ｍ１３を通るジッパー開封方向の仮想直線ｅ１６を介して両側に配置され、第２傾斜部１４の仮想延長線ｆ１４が次の切込み１０の第１傾斜部１２と交わり、角度α１１が角度α１２よりも大きく形成されている。切断構造としての切れ目線は、複数の切込み１０からなる切れ目線と複数の切込み２０からなる切れ目線のいずれか一方により構成する。【選択図】図２
2016196309.tif 000002
【特許請求の範囲】
【請求項１】
シート状の紙製ブランクにより形成されたカートンに用いるカートン用ジッパーであって、
第１切れ目線と第２切れ目線とを有し、
第１切れ目線が、複数の第１切込み（１０、２０）を間隔を介して列状に配設してなり、
第１切込みが、
第１傾斜部（１２、２２）と、第１傾斜部の一方の端部である第１接触点（ｍ１２、ｍ２２）から形成された第２傾斜部（１４、２４）とを有し、第１傾斜部が、第１傾斜部の他方の端部である第１端部（ｍ１１、ｍ２１）と第１接触点間に直線状に形成され、第２傾斜部が、第１接触点と第２傾斜部における第１接触点とは反対側の端部である第２端部（ｍ１３、ｍ２３）間に直線状に形成され、
第１端部と第１接触点とが、ジッパー開封方向の仮想直線で第２端部を通る仮想直線（ｅ１６、ｅ２６）を介して両側に配置され、
第２傾斜部のジッパー開封方向において後側への仮想延長線（ｆ１４、ｆ２４）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部が、第１接触点が第２端部よりもジッパー開封方向において前側に位置するように仮想直線に対して傾斜して形成され、
第１傾斜部の該仮想直線との間の鋭角の角度（α１１、α２１）が、第２傾斜部の該仮想直線との間の鋭角の角度（α１２、α２２）よりも大きく形成され、
第２切れ目線が、第１切れ目線との間の中心線を介して対称形状に形成され、第２切れ目線が、複数の第２切込み（２０、１０）を間隔を介して列状に配設してなり、複数の第２切れ目線における各第２切れ目線が該中心線を介して第１切れ目線における第１切込みと対称形状に形成されていることを特徴とするカートン用ジッパー。
【請求項２】
シート状の紙製ブランクにより形成されたカートンに用いるカートン用ジッパーであって、
第１切れ目線と第２切れ目線とを有し、
第１切れ目線が、複数の第１切込み（１０）を間隔を介して列状に配設してなり、
第１切込みが、
第１傾斜部（１２）と、第２傾斜部（１４）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）とを有し、
第１傾斜部が、第１傾斜部の他方の端部である第１端部（ｍ１１）と第１接触点間に直線状に形成され、
第２傾斜部が、第２接触点と第２傾斜部における第２接触点とは反対側の端部である第２端部（ｍ１３、ｍ２３）間に直線状に形成され、
第１端部と第１接触点とが、ジッパー開封方向の仮想直線で第２端部を通る仮想直線（ｅ１６、ｅ２６）を介して両側に配置され、
第２傾斜部のジッパー開封方向において後側への仮想延長線である仮想延長線（ｆ１６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部が、第１接触点が第２端部よりもジッパー開封方向において前側に位置するように仮想直線に対して傾斜して形成され、
第１傾斜部の該仮想直線との間の鋭角の角度（α１１）が、第２傾斜部の該仮想直線との間の鋭角の角度（α１２）よりも大きく形成され、
第２切れ目線が、第１切れ目線との間の中心線を介して対称形状に形成され、第２切れ目線が、複数の第２切込みを間隔を介して列状に配設してなり、複数の第２切れ目線における各第２切れ目線が該中心線を介して第１切れ目線における第１切込みと対称形状に形成されていることを特徴とするカートン用ジッパー。
【請求項３】
第１傾斜部と第２傾斜部間の角度で、第１端部と第２端部とを結ぶ第２仮想直線（１８、２８）側の角度（α１３、α２３）が鈍角であることを特徴とする請求項１又は２に記載のカートン用ジッパー。
【請求項４】
シート状の紙製ブランクにより形成されたカートンに用いるカートン用切れ目線であって、
該カートン用切れ目線が、複数の切込み（１０、２０）を間隔を介して列状に配設してなり、
切込みが、
第１傾斜部（１２、２２）と、第１傾斜部の一方の端部である第１接触点（ｍ１２、ｍ２２）から形成された第２傾斜部（１４、２４）とを有し、第１傾斜部が、第１傾斜部の他方の端部である第１端部（ｍ１１、ｍ２１）と第１接触点間に直線状に形成され、第２傾斜部が、第１接触点と第２傾斜部における第１接触点とは反対側の端部である第２端部（ｍ１３、ｍ２３）間に直線状に形成され、
第１端部と第１接触点とが、ジッパー開封方向の仮想直線で第２端部を通る仮想直線（ｅ１６、ｅ２６）を介して両側に配置され、
第２傾斜部のジッパー開封方向において後側への仮想延長線（ｆ１４、ｆ２４）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部が、第１接触点が第２端部よりもジッパー開封方向において前側に位置するように仮想直線に対して傾斜して形成され、
第１傾斜部の該仮想直線との間の鋭角の角度（α１１、α２１）が、第２傾斜部の該仮想直線との間の鋭角の角度（α１２、α２２）よりも大きく形成されていることを特徴とするカートン用切れ目線。
【請求項５】
シート状の紙製ブランクにより形成されたカートンに用いるカートン用切れ目線であって、
該カートン用切れ目線が、複数の切込み（１０、２０）を間隔を介して列状に配設してなり、
切込みが、
第１傾斜部（１２）と、第２傾斜部（１４）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）とを有し、
第１傾斜部が、第１傾斜部の他方の端部である第１端部（ｍ１１）と第１接触点間に直線状に形成され、
第２傾斜部が、第２接触点と第２傾斜部における第２接触点とは反対側の端部である第２端部（ｍ１３、ｍ２３）間に直線状に形成され、
第１端部と第１接触点とが、ジッパー開封方向の仮想直線で第２端部を通る仮想直線（ｅ１６、ｅ２６）を介して両側に配置され、
第２傾斜部のジッパー開封方向において後側への仮想延長線である仮想延長線（ｆ１６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部が、第１接触点が第２端部よりもジッパー開封方向において前側に位置するように仮想直線に対して傾斜して形成され、
第１傾斜部の該仮想直線との間の鋭角の角度（α１１）が、第２傾斜部の該仮想直線との間の鋭角の角度（α１２）よりも大きく形成されていることを特徴とするカートン用切れ目線。
【請求項６】
第１傾斜部と第２傾斜部間の角度で、第１端部と第２端部とを結ぶ第２仮想直線（１８、２８）側の角度（α１３、α２３）が鈍角であることを特徴とする請求項５又は６に記載のカートン用ジッパー。
【請求項７】
シート状の紙製ブランクにより形成されたカートンであって、
請求項１又は２又は３に記載のカートン用ジッパーが形成されていることを特徴とするカートン。
【請求項８】
シート状の紙製ブランクにより形成されたカートンであって、
請求項４又は５又は６に記載のカートン用切れ目線が形成されていることを特徴とするカートン。
【発明の詳細な説明】
【技術分野】
【０００１】
本発明は、カートン用の切断構造に関するものであり、カートン用のジッパーや切れ目線に関するものである。
【背景技術】
【０００２】
従来より、カートン用のジッパーの形状としては、図１３に示す形状のものが広く知られている。
【０００３】
すなわち、図１３に示すジッパーＰは、互いに平行に２列に形成された切れ目線Ｐ１、Ｐ２と、開封開始位置の片部２３０を形成するための切込みＰ３とを有している。ジッパーＰは、カートンを構成するシート状のブランク（例えば、段ボールや厚紙）に形成されている。
【０００４】
ここで、切れ目線Ｐ１は、複数の切込み２１０を間隔を介して一列に配設したもので、各切込み２１０は、開封方向（Ｘ１−Ｘ２方向）に形成された直線部２１２と、直線部２１２の開封方向前側（Ｘ１側）の端部から内側に向けて傾斜して直線状に形成された傾斜部２１４とを有し、直線部２１２と傾斜部２１４のなす内側の角度α２１０が鈍角となっている。各切込み２１０において、直線部２１２は同一直線上に形成されている。
【０００５】
また、切れ目線Ｐ２は、複数の切込み２２０を間隔を介して一列に配設したもので、各切込み２２０は、開封方向に形成された直線部２２２と、直線部２２２のＸ１側の端部から内側に向けて傾斜して直線状に形成された傾斜部２２４とを有し、直線部２２２と傾斜部２２４のなす内側の角度α２２０が鈍角となっている。各切込み２２０において、直線部２２２は同一直線上に形成されている。
【０００６】
切れ目線Ｐ１と切れ目線Ｐ２とは切れ目線Ｐ１と切れ目線Ｐ２間の開封方向の中心線Ｐｈを介して線対称に形成されていて、切込み２１０と切込み２２０とは互いに対向して形成されている。
【０００７】
また、切込みＰ３は、略コ字状を呈し、Ｘ２側に開口した略コ字状を呈している。つまり、切込みＰ３は、直線部２１２の延長線上に形成された直線状の切込み２３２と、直線部２２２の延長線上に形成された直線状の切込み２３４と、切込み２３２と切込み２３４のＸ１側の端部間を結び、該中心線Ｐｈに対して直角をなす切込み２３６とを有している。この切込みＰ３により囲まれた領域（つまり、切込みＰ３と、切込み２３２のＸ２側の端部と切込み２３４のＸ２側の端部とを結ぶ直線により囲まれた領域）が、片部２３０となる。
【０００８】
つまり、ジッパーＰにおいては、片部２３０を起こして手でつかみ、Ｘ２方向に引っぱることにより、隣接する切込み２１０間の隙間と隣接する切込み２２０間の隙間が破れてジッパーＰがブランクから分離する。
【０００９】
また、特許文献１に示すカートン用のジッパーの形状として、図１５に示す形状のものも知られている。
【００１０】
すなわち、図１５に示すジッパーＱは、互いに平行に２列に形成された切れ目線Ｑ１、Ｑ２と、開封開始位置の片部３３０を形成するための切込みＰ３とを有している。ジッパーＰは、カートンを構成するシート状のブランク（例えば、段ボールや厚紙）に形成されている。
【００１１】
ここで、切れ目線Ｑ１は、複数の切込み３１０を間隔を介して一列に配設したもので、各切込み３１０は、Ｙ字状を呈している。つまり、切込み３１０は、開封方向（Ｘ１−Ｘ２方向）に形成された直線部３１２と、直線部３１２の開封方向前側（Ｘ１側）の端部から外側に向けて傾斜して直線状に形成された傾斜部３１４と、直線部３１２のＸ１側の端部から内側に向けて傾斜して直線状に形成された傾斜部３１６と、を有し、直線部３１２と傾斜部３１４のなす角度α３１４と、直線部３１２と傾斜部３１６のなす角度α３１６とが鈍角となっている。
【００１２】
また、切れ目線Ｑ２は、複数の切込み３２０を間隔を介して一列に配設したもので、各切込み３２０は、Ｙ字状を呈している。つまり、切込み３２０は、開封方向（Ｘ１−Ｘ２方向）に形成された直線部３２２と、直線部３２２の開封方向前側（Ｘ１側）の端部から外側に向けて傾斜して直線状に形成された傾斜部３２４と、直線部３２２のＸ１側の端部から内側に向けて傾斜して直線状に形成された傾斜部３２６と、を有し、直線部３２２と傾斜部３２４のなす角度α３２４と、直線部３２２と傾斜部３２６のなす角度α３２６とが鈍角となっている。
【００１３】
また、切込みＱ３は、略コ字状を呈し、Ｘ２側に開口した略コ字状を呈している。つまり、切込みＱ３は、直線部３１２の延長線上に形成された直線状の切込み３３２と、直線部３２２の延長線上に形成された直線状の切込み３３４と、切込み３３２と切込み３３４のＸ１側の端部間を結び、該中心線Ｑｈに対して直角をなす切込み３３６とを有している。この切込みＱ３により囲まれた領域（つまり、切込みＱ３と、切込み３３２のＸ２側の端部と切込み３３４のＸ２側の端部とを結ぶ直線により囲まれた領域）が、片部３３０となる。
【００１４】
つまり、ジッパーＱにおいては、片部３３０を起こして手でつかみ、Ｘ２方向に引っぱることにより、隣接する切込み３１０間の隙間と隣接する切込み３２０間の隙間が破れてジッパーＱがブランクから分離する。
【先行技術文献】
【特許文献】
【００１５】
【特許文献１】特開平１１−７９２４２号公報
【発明の概要】
【発明が解決しようとする課題】
【００１６】
しかし、図１３に示すジッパーＰにおいては、ジッパーＰを開封方向に破断していった際に、破断力が外側に拡散して剥離を生じるという問題がある。すなわち、切込みＰ１を例に取ると、直線部２１２の後端からの破断力は直線部２１２の後端から角度範囲βの範囲に拡散するが、切れ目線Ｐ１と切れ目線Ｐ２間の帯状部２４０を引っぱって破断するので直線部２１２の延長線上よりも内側に向かう成分が多いが、傾斜部２１４で破断力を受け止めやすいものの、帯状部の引っぱり具合によっては、破断力の中心が外側に向かう場合もあり、そうすると、次の切込み２１０の傾斜部２１４で受け止められなかった破断力、すなわち、外側に向かう破断力がブランクを構成する紙材の剥離をもたらし、ジッパーＰを破断した後の帯状部２４０には、図１４に示すように、ブランクとの切断線に沿って剥離片２４０ａ、２４０ｂ、２４０ｃが発生するとともに、帯状部２４０を分離した後のブランクにおける切断線２５２、２５４に沿って剥離片２５０ａ、２５０ｂ、２５０ｃが発生してしまい、ブランクにおける切断線の見栄えが悪いという問題があった。
【００１７】
また、図１５に示すジッパーＱにおいては、直線部３１２（３２２）の後端からの破断力は次の切込み３１０（３２０）の傾斜部３１４（３２４）、３１６（３２６）で受け止めることができるので、図１３のジッパーＰの場合のような剥離の問題は少ないものの、ジッパーＱを分離することにより形成されたブランクの開口部３５０には、図１６に示すように、一方の切断線に沿って傾斜部３１４が残存し、他方の切断線に沿って傾斜部３２４が残存するので、一方の切断線３５２に沿っては、残存した傾斜部３１４と、傾斜部３１４の基端からの折れ線３１４−１とを辺部とする片部３１８が折れ線３１４−１を中心にぶらついた状態となり、他方の切断線３５４に沿っては、残存した傾斜部３２４と、傾斜部３２４の基端からの折れ線３２４−１とを辺部とする片部３２８が折れ線３２４−１を中心にぶらついた状態となるので、ブランクにおける切断線の見栄えが悪いという問題があった。つまり、傾斜部３１４は直線部３１２に対して鈍角をなし、傾斜部３２４は直線部３２２に対して鈍角をなすので、折れ線３１４−１、３２４−１とともに片部３１８、３２８が形成されやすいという問題がある。
【００１８】
また、ジッパーの破断に際して、図１３に示すジッパーＰでは、上記のように、外側に向かう破断力が剥離を生じてジッパーの破断に利用されないため、強い力で帯状部２４０を引っぱる必要がある。
【００１９】
また、図１５に示すジッパーＱにおいても、ジッパーＱを破断する際に、上記の片部３１８、３２８がブランクの切断線にぶらついた状態となり、隣接する切込み３１０間の隙間を破る際に、片部３１８が折れ線３１４−１を介して持ち上がり、隣接する切込み３２０間の隙間を破る際に、片部３２８が折れ線３２４−１を介して持ち上がるので、片部３１８、３２８が持ち上がることにより引っぱる力が吸収されてしまい、帯状部３４０を強い力で引っぱる必要があり、また、片部３１８、３２８が持ち上がる分切断に時間が掛かるので、操作者は、帯状部３４０を自然と強い力で引っぱってしまうという問題がある。
【００２０】
また、図１５に示すジッパーＱにおいては、直線部３１２、３２２からの破断力のうち内側の傾斜部（つまり、傾斜部３１６、３２６）に向かう成分が多い（つまり、破断力の中心が内側の傾斜部に向かうことが多い）ものの、帯状部３４０の引っぱり具合によっては、破断力の中心が外側の傾斜部（傾斜部３１４、３２４）に向かう場合や、直線部３１２の方向に向かう場合があり、そうすると、隣接する切込み３１０間の隙間や隣接する切込み３２０の隙間を破った感触が個々に異なり、破断の際の感触が一定でなく、操作者にとって帯状部３４０を引っぱる際の力の入れ具合を分かりにくく、円滑な破断を行なうことが容易でないという問題があった。また、力の入れ具合が分かりにくいので、必然的に強い力で引っぱってしまうという問題もあった。
【００２１】
また、図１３に示すジッパーＰにおいても、帯状部２４０の引っぱり具合によっては、破断力の中心が外側に向かう場合、直線部２１０（２２０）の方向に向かう場合があり、そうすると、隣接する切込み２１０間の隙間や隣接する切込み２２０の隙間を破った感触が個々に異なり（特に、外側に向かった場合には、ブランクの表面が剥離するので異なった感触となる）、破断の際の感触が一定でなく、操作者にとって帯状部２４０を引っぱる際の力の入れ具合を分かりにくく、円滑な破断を行なうことが容易でないという問題があった。また、力の入れ具合が分かりにくいので、必然的に強い力で引っぱってしまうという問題もあった。
【００２２】
そこで、本発明が解決しようとする問題点は、カートン用のジッパーや切れ目線の切断構造において、切断後のブランクの切断線の見栄えがよく、また、少ない力で破断を行なうことができ、さらには、破断の際の感触が一定で円滑な破断を行なうことができる切断構造を提供することである。
【課題を解決するための手段】
【００２３】
本発明は上記問題点を解決するために創作されたものであって、第１には、シート状の紙製ブランクにより形成されたカートンに用いるカートン用ジッパーであって、第１切れ目線と第２切れ目線とを有し、第１切れ目線が、複数の第１切込み（１０、２０）を間隔を介して列状に配設してなり、第１切込みが、第１傾斜部（１２、２２）と、第１傾斜部の一方の端部である第１接触点（ｍ１２、ｍ２２）から形成された第２傾斜部（１４、２４）とを有し、第１傾斜部が、第１傾斜部の他方の端部である第１端部（ｍ１１、ｍ２１）と第１接触点間に直線状に形成され、第２傾斜部が、第１接触点と第２傾斜部における第１接触点とは反対側の端部である第２端部（ｍ１３、ｍ２３）間に直線状に形成され、第１端部と第１接触点とが、ジッパー開封方向の仮想直線で第２端部を通る仮想直線（ｅ１６、ｅ２６）を介して両側に配置され、第２傾斜部のジッパー開封方向において後側への仮想延長線（ｆ１４、ｆ２４）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部が、第１接触点が第２端部よりもジッパー開封方向において前側に位置するように仮想直線に対して傾斜して形成され、第１傾斜部の該仮想直線との間の鋭角の角度（α１１、α２１）が、第２傾斜部の該仮想直線との間の鋭角の角度（α１２、α２２）よりも大きく形成され、第２切れ目線が、第１切れ目線との間の中心線を介して対称形状に形成され、第２切れ目線が、複数の第２切込み（２０、１０）を間隔を介して列状に配設してなり、複数の第２切れ目線における各第２切れ目線が該中心線を介して第１切れ目線における第１切込みと対称形状に形成されていることを特徴とする。
【００２４】
第１の構成のカートン用ジッパーにおいては、第１端部と第１接触点とが、ジッパー開封方向の仮想直線で第２端部を通る仮想直線（ｅ１６、ｅ２６）を介して両側に配置され、第２傾斜部のジッパー開封方向において後側への仮想延長線（ｆ１４、ｆ２４）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第２傾斜部からの破断力を第１傾斜部により広く受け止め、第１傾斜部以外に１つ前の切込みの第２傾斜部からの破断力を直接受け止める切込みがないので、破断の際の感触を一定にできて円滑な破断を行なうことができる。また、剥離を生じるおそれが少ないので、その分少ない力で破断を行なうことができる。
【００２５】
また、第１傾斜部が、第１端部が第１接触点よりもジッパー開封方向において前側に位置するように仮想直線に対して傾斜して形成されているので、第１傾斜部に伝えられた破断力をスムーズに第２傾斜部に伝えることができる。よって、少ない力で破断を行なうことができる。
【００２６】
また、第１傾斜部の該仮想直線との間の鋭角の角度（α１１、α２１）が、第２傾斜部の該仮想直線との間の鋭角の角度（α１２、α２２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【００２７】
また、第２には、シート状の紙製ブランクにより形成されたカートンに用いるカートン用ジッパーであって、第１切れ目線と第２切れ目線とを有し、第１切れ目線が、複数の第１切込み（１０）を間隔を介して列状に配設してなり、第１切込みが、第１傾斜部（１２）と、第２傾斜部（１４）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）とを有し、第１傾斜部が、第１傾斜部の他方の端部である第１端部（ｍ１１）と第１接触点間に直線状に形成され、第２傾斜部が、第２接触点と第２傾斜部における第２接触点とは反対側の端部である第２端部（ｍ１３）間に直線状に形成され、第１端部と第１接触点とが、ジッパー開封方向の仮想直線で第２端部を通る仮想直線（ｅ１６）を介して両側に配置され、第２傾斜部のジッパー開封方向において後側への仮想延長線である仮想延長線（ｆ１６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部が、第１接触点が第２端部よりもジッパー開封方向において前側に位置するように仮想直線に対して傾斜して形成され、第１傾斜部の該仮想直線との間の鋭角の角度（α１１）が、第２傾斜部の該仮想直線との間の鋭角の角度（α１２）よりも大きく形成され、  第２切れ目線が、第１切れ目線との間の中心線を介して対称形状に形成され、第２切れ目線が、複数の第２切込みを間隔を介して列状に配設してなり、複数の第２切れ目線における各第２切れ目線が該中心線を介して第１切れ目線における第１切込みと対称形状に形成されていることを特徴とする。
【００２８】
第２の構成のカートン用ジッパーにおいては、第１端部と第１接触点とが、ジッパー開封方向の仮想直線で第２端部を通る仮想直線（ｅ１６）を介して両側に配置され、第２傾斜部のジッパー開封方向において後側への仮想延長線（ｆ１４）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第２傾斜部からの破断力を第１傾斜部により広く受け止め、第１傾斜部以外に１つ前の切込みの第２傾斜部からの破断力を直接受け止める切込みがないので、破断の際の感触を一定にできて円滑な破断を行なうことができる。また、剥離を生じるおそれが少ないので、その分少ない力で破断を行なうことができる。
【００２９】
また、第１傾斜部が、第１端部が第１接触点よりもジッパー開封方向において前側に位置するように仮想直線に対して傾斜して形成されているので、第１傾斜部に伝えられた破断力をスムーズに第２傾斜部に伝えることができる。よって、少ない力で破断を行なうことができる。
【００３０】
また、第１傾斜部の該仮想直線との間の鋭角の角度（α１１、α２１）が、第２傾斜部の該仮想直線との間の鋭角の角度（α１２、α２２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【００３１】
また、第３には、上記第１又は第２の構成において、第１傾斜部と第２傾斜部間の角度で、第１端部と第２端部とを結ぶ第２仮想直線（１８、２８）側の角度（α１３、α２３）が鈍角であることを特徴とする。
【００３２】
また、第４には、シート状の紙製ブランクにより形成されたカートンに用いるカートン用切れ目線であって、該カートン用切れ目線が、複数の切込み（１０、２０）を間隔を介して列状に配設してなり、切込みが、第１傾斜部（１２、２２）と、第１傾斜部の一方の端部である第１接触点（ｍ１２、ｍ２２）から形成された第２傾斜部（１４、２４）とを有し、第１傾斜部が、第１傾斜部の他方の端部である第１端部（ｍ１１、ｍ２１）と第１接触点間に直線状に形成され、第２傾斜部が、第１接触点と第２傾斜部における第１接触点とは反対側の端部である第２端部（ｍ１３、ｍ２３）間に直線状に形成され、第１端部と第１接触点とが、切れ目線開封方向の仮想直線で第２端部を通る仮想直線（ｅ１６、ｅ２６）を介して両側に配置され、第２傾斜部の切れ目線開封方向において後側への仮想延長線（ｆ１４、ｆ２４）が切れ目線開封方向において後側に隣接する他の第１切込みの第１傾斜部と交わり、第１傾斜部が、第１端部が第１接触点よりも切れ目線開封方向において前側に位置するように仮想直線に対して傾斜して形成され、第２傾斜部が、第１接触点が第２端部よりも切れ目線開封方向において前側に位置するように仮想直線に対して傾斜して形成され、第１傾斜部の該仮想直線との間の鋭角の角度（α１１、α２１）が、第２傾斜部の該仮想直線との間の鋭角の角度（α１２、α２２）よりも大きく形成されていることを特徴とする。
【００３３】
第４の構成のカートン用切れ目線においては、第１端部と第１接触点とが、切れ目線開封方向の仮想直線で第２端部を通る仮想直線（ｅ１６、ｅ２６）を介して両側に配置され、第２傾斜部の切れ目線開封方向において後側への仮想延長線（ｆ１４、ｆ２４）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第２傾斜部からの破断力を第１傾斜部により広く受け止め、第１傾斜部以外に１つ前の切込みの第２傾斜部からの破断力を直接受け止める切込みがないので、破断の際の感触を一定にできて円滑な破断を行なうことができる。また、剥離を生じるおそれが少ないので、その分少ない力で破断を行なうことができる。
【００３４】
また、第１傾斜部が、第１端部が第１接触点よりも切れ目線開封方向において前側に位置するように仮想直線に対して傾斜して形成されているので、第１傾斜部に伝えられた破断力をスムーズに第２傾斜部に伝えることができる。よって、少ない力で破断を行なうことができる。
【００３５】
また、第１傾斜部の該仮想直線との間の鋭角の角度（α１１、α２１）が、第２傾斜部の該仮想直線との間の鋭角の角度（α１２、α２２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【００３６】
また、第５には、シート状の紙製ブランクにより形成されたカートンに用いるカートン用切れ目線であって、該カートン用切れ目線が、複数の切込み（１０、２０）を間隔を介して列状に配設してなり、切込みが、第１傾斜部（１２）と、第２傾斜部（１４）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）とを有し、第１傾斜部が、第１傾斜部の他方の端部である第１端部（ｍ１１）と第１接触点間に直線状に形成され、第２傾斜部が、第２接触点と第２傾斜部における第２接触点とは反対側の端部である第２端部（ｍ１３）間に直線状に形成され、第１端部と第１接触点とが、切れ目線開封方向の仮想直線で第２端部を通る仮想直線（ｅ１６）を介して両側に配置され、第２傾斜部の切れ目線開封方向において後側への仮想延長線である仮想延長線（ｆ１６）が切れ目線開封方向において後側に隣接する他の第１切込みの第１傾斜部と交わり、第１傾斜部が、第１端部が第１接触点よりも切れ目線開封方向において前側に位置するように仮想直線に対して傾斜して形成され、第２傾斜部が、第１接触点が第２端部よりも切れ目線開封方向において前側に位置するように仮想直線に対して傾斜して形成され、第１傾斜部の該仮想直線との間の鋭角の角度（α１１）が、第２傾斜部の該仮想直線との間の鋭角の角度（α１２）よりも大きく形成されていることを特徴とする。
【００３７】
第５の構成のカートン用切れ目線においては、第１端部と第１接触点とが、切れ目線開封方向の仮想直線で第２端部を通る仮想直線（ｅ１６）を介して両側に配置され、第２傾斜部の切れ目線開封方向において後側への仮想延長線（ｆ１４）が切れ目線開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第２傾斜部からの破断力を第１傾斜部により広く受け止め、第１傾斜部以外に１つ前の切込みの第２傾斜部からの破断力を直接受け止める切込みがないので、破断の際の感触を一定にできて円滑な破断を行なうことができる。また、剥離を生じるおそれが少ないので、その分少ない力で破断を行なうことができる。
【００３８】
また、第１傾斜部が、第１端部が第１接触点よりも切れ目線開封方向において前側に位置するように仮想直線に対して傾斜して形成されているので、第１傾斜部に伝えられた破断力をスムーズに第２傾斜部に伝えることができる。よって、少ない力で破断を行なうことができる。
【００３９】
また、第１傾斜部の該仮想直線との間の鋭角の角度（α１１、α２１）が、第２傾斜部の該仮想直線との間の鋭角の角度（α１２、α２２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【００４０】
また、第６には、上記第４又は第５の構成において、第１傾斜部と第２傾斜部間の角度で、第１端部と第２端部とを結ぶ第２仮想直線（１８、２８）側の角度（α１３、α２３）が鈍角であることを特徴とする。
【００４１】
また、第７には、シート状の紙製ブランクにより形成されたカートンであって、第１又は２又は３の構成のカートン用ジッパーが形成されていることを特徴とする。
【００４２】
また、第８には、シート状の紙製ブランクにより形成されたカートンであって、第４又は５又は６の構成のカートン用切れ目線が形成されていることを特徴とする。
【発明の効果】
【００４３】
本発明に基づくカートン用ジッパー、カートン用切れ目線及びカートンによれば、第１端部と第１接触点とが、ジッパー開封方向の仮想直線で第２端部を通る仮想直線（ｅ１６、ｅ２６）を介して両側に配置され、第２傾斜部のジッパー開封方向において後側への仮想延長線（ｆ１４、ｆ２４）がジッパー開封方向において後側に隣接する他の第１切込みの第１傾斜部と交わるので、第１傾斜部により破断力を広く受け止めることができ、剥離を生じるおそれが少なく、よって、ブランクの切断面の見栄えをよくすることができる。また、第２傾斜部からの破断力を第１傾斜部により広く受け止め、第１傾斜部以外に１つ前の切込みの第２傾斜部からの破断力を直接受け止める切込みがないので、破断の際の感触を一定にできて円滑な破断を行なうことができる。また、剥離を生じるおそれが少ないので、その分少ない力で破断を行なうことができる。
【００４４】
また、第１傾斜部が、第１端部が第１接触点よりもジッパー開封方向において前側に位置するように仮想直線に対して傾斜して形成されているので、第１傾斜部に伝えられた破断力をスムーズに第２傾斜部に伝えることができる。よって、少ない力で破断を行なうことができる。
【００４５】
また、第１傾斜部の該仮想直線との間の鋭角の角度（α１１、α２１）が、第２傾斜部の該仮想直線との間の鋭角の角度（α１２、α２２）よりも大きく形成されているので、第１傾斜部の仮想直線に対する傾斜が大きく、第１傾斜部からの破断力が第２傾斜部に伝わりやすく、ブランクの紙材の剥離が起こりにくく、ブランクの切断面の見栄えがよい。
【図面の簡単な説明】
【００４６】
【図１】ジッパーの構成を示す平面図である（実施例１）。
【図２】図１のジッパーの要部を示す説明図である。
【図３】図２の要部拡大図である。
【図４】図２の要部拡大図である。
【図５】実施例１のジッパーを用いたカートンの例を示す斜視図である。
【図６】実施例１のジッパーを用いたカートンの例を示す展開図である。
【図７】実施例１のジッパーの使用状態を説明する説明図である。
【図８】切れ目線の構成を示す平面図である（実施例２）。
【図９】実施例２の切れ目線を用いたカートンの例を示す斜視図である。
【図１０】実施例２の切れ目線を用いたカートンの例を示す展開図である。
【図１１】切れ目線の他の構成を示す平面図である（実施例２）。
【図１２】切込みの他の構成を示す説明図である。
【図１３】従来のジッパーを示す平面図である。
【図１４】図１３に示すジッパーの使用状態を説明する説明図である。
【図１５】従来のジッパーを示す平面図である。
【図１６】図１５に示すジッパーの使用状態を説明する説明図である。
【発明を実施するための形態】
【００４７】
本発明においては、カートン用のジッパーや切れ目線の切断構造において、切断後のブランクの切断線の見栄えがよく、また、少ない力で破断を行なうことができ、さらには、破断の際の感触が一定で円滑な破断を行なうことができる切断構造を提供するという目的を以下のようにして実現した。
【実施例１】
【００４８】
本発明に基づくカートン用切断構造としてのジッパーＡは、図１〜図４に示すように構成され、互いに並設された切れ目線Ａ１、Ａ２と、開封開始位置の片部３０を形成するための切込みＡ３とを有している。つまり、切れ目線Ａ１と切れ目線Ａ２とは、互いに平行に２列に形成されている。ジッパーＡは、カートンを構成するシート状のブランク（例えば、段ボールや厚紙）に形成されている。
【００４９】
ここで、切れ目線Ａ１は、複数の切込み１０を間隔を介して一列に配設したもので、各切込み１０は、第１傾斜部１２と、第１傾斜部１２の端部から連設された第２傾斜部１４とを有している。第１傾斜部１２と第２傾斜部１４とは、ともにブランクの表面から裏面まで貫通した切込みにより形成されている。
【００５０】
ここで、第１傾斜部１２は、ジッパー開封方向（「ジッパー破断方向」としてもよい）（Ｘ１−Ｘ２方向）の仮想直線ｅ１６に対して傾斜して形成され、第１傾斜部１２と仮想直線ｅ１６間の角度（第２傾斜部１４側の角度）はα１１で、角度α１１は鋭角となっている。また、第１傾斜部１２の仮想直線ｅ１６に対する直角方向（Ｙ１−Ｙ２方向）に対する角度はα１４となっている（α１４は０より大きい鋭角となっている（つまり、α１４の大きさは、９０度−α１１である））。この第１傾斜部１２は、直線状に形成されている。仮想直線ｅ１６は、ジッパーＡの開封方向に形成され、端部ｍ１３を通る直線である。
【００５１】
第１傾斜部１２の第２傾斜部１４側とは反対側の端部ｍ１１が、第１傾斜部１２の第２傾斜部１４との接触点ｍ１２よりも開封方向において前側（Ｘ１側）にある。つまり、端部ｍ１１が接触点ｍ１２よりもジッパー開封方向において前側に位置するように仮想直線ｅ１６に対して傾斜している。なお、ジッパー開封方向は、Ｘ１側からＸ２側への方向であり、Ｘ１側がジッパー開封方向において前側であり、Ｘ２側がジッパー開封方向において後側である。
【００５２】
また、端部ｍ１１と接触点ｍ１２とは、仮想直線ｅ１６を介して両側に配置されている。つまり、仮想直線ｅ１６の一方の側（内側）に端部ｍ１１があり、他方の側（外側）に接触点ｍ１２がある。
【００５３】
また、第２傾斜部１４は、仮想直線ｅ１６に対して傾斜して形成され、第２傾斜部１４と仮想直線ｅ１６間の角度（開封方向における前側の角度）はα１２であり、角度α１２は鋭角となっている。また、第２傾斜部１４と第１傾斜部１２間の角度（端部ｍ１１と端部ｍ１３を結ぶ直線（仮想直線）１８側の角度（仮想直線ｅ１６側の角度としてもよい））はα１３となっている。第２傾斜部１４は、一方の端部である第１傾斜部１２との接触点ｍ１２と他方の端部ｍ１３間に直線状に形成されている。
【００５４】
また、第２傾斜部１４の第１傾斜部１２との接触点ｍ１２は、第２傾斜部１４のｍ１３よりも開封方向において前側（Ｘ１側）にある。
【００５５】
また、開封方向前側（Ｘ１側）の切込み１０の第２傾斜部１４の後端の端部ｍ１３からの第２傾斜部１４のジッパー開封方向において後側への延長線（直線状の延長線）（仮想延長線）ｆ１４が、第１傾斜部１２と交わるようになっている。つまり、ある切込み１０の第２傾斜部１４の延長線ｆ１４が、開封方向に隣接する切込み１０の第１傾斜部１２と交わる。
【００５６】
ここで、第１傾斜部１２の長さ（第１傾斜部１２に沿った長さ）と第２傾斜部１４の長さ（第２傾斜部１４に沿った長さ）とを比較すると、第２傾斜部１４が第１傾斜部１２よりも長く形成され、第２傾斜部１４の長さが第１傾斜部１２の長さの２〜３倍に形成されている。
【００５７】
また、角度α１１と角度α１２とを比較すると、角度α１１が角度α１２よりも大きく形成されている（α１１＞α１２）。例えば、角度α１１は５５〜７５度で、角度α１２は５〜２０度に形成されている（なお、角度α１１、α１２は他の角度でもよい）。なお、角度α１１の角度の値は、角度α１２の角度の値の３倍以上（より好適には５倍以上）の角度の値とするのが好ましい。
【００５８】
また、角度α１３は、鈍角に形成され、例えば、１０５〜１２５度に形成されている（なお、角度α１３は他の角度でもよい）。
【００５９】
ジッパーＡの開封方向は、複数の切込み１０における同じ箇所を結ぶ方向といえ、例えば、複数の切込み１０における端部ｍ１３を結ぶ方向がジッパーＡの開封方向といえ、ジッパーＡが直線状に形成されている場合には、複数の端部ｍ１３を結ぶ方向が直線状となり、ジッパーＡが曲線状に形成されている場合には、複数の端部ｍ１３を結ぶ方向が曲線状となる。なお、ジッパーＡの開封方向を複数の切込み２０における同じ箇所を結ぶ方向としてもよく、複数の切込み２０における同じ箇所を結ぶ方向と、複数の切込み１０における同じ箇所を結ぶ方向とは同じ方向である。
【００６０】
なお、１つの切目線Ａ１において、切込み１０は同じ構成であり、隣接する切込み１０間の間隔は、原則として同一に形成され、少なくともジッパーＡが直線状に形成されている場合には、隣接する切込み１０間の間隔は、同一に形成されている。
【００６１】
次に、切れ目線Ａ２は、開封方向の切れ目線Ａ１と切れ目線Ａ２間の中心線Ａｈを介して対称に形成され、切れ目線Ａ１と間隔を介して形成されている。
【００６２】
切れ目線Ａ２は、複数の切込み２０を間隔を介して一列に配設したもので、各切込み２０は、第１傾斜部２２と、第１傾斜部２２の端部から連設された第２傾斜部２４とを有している。第１傾斜部２２と第２傾斜部２４とは、ともにブランクの表面から裏面まで貫通した切込みにより形成されている。各切込み２０は、切れ目線Ａ１における対応する切込み１０と中心線Ａｈを中心に対称に形成されている。
【００６３】
ここで、第１傾斜部２２は、ジッパー開封方向（「ジッパー破断方向」としてもよい）（Ｘ１−Ｘ２方向）の仮想直線ｅ２６に対して傾斜して形成され、第１傾斜部２２と仮想直線ｅ２６間の角度（鋭角の角度）はα２１で、第１傾斜部２２の仮想直線ｅ２６に対する直角方向（Ｙ１−Ｙ２方向）に対する角度はα２４となっている（α２４は０より大きい鋭角である（つまり、α２４の大きさは、９０度−α２１である））。この第１傾斜部２２は、直線状に形成されている。仮想直線ｅ２６は、ジッパーＡの開封方向に形成され、端部ｍ２３を通る直線である。
【００６４】
第１傾斜部２２の第２傾斜部２４側とは反対側の端部ｍ２１が、第１傾斜部２２の第２傾斜部２４との接触点ｍ２２よりも開封方向において前側（Ｘ１側）にある。
【００６５】
また、端部ｍ２１と接触点ｍ２２とは、仮想直線ｅ２６を介して両側に配置されている。つまり、仮想直線ｅ２６の一方の側（内側）に端部ｍ２１があり、他方の側（外側）に接触点ｍ２２がある。
【００６６】
また、第２傾斜部２４は、仮想直線ｅ２６に対して傾斜して形成され、第２傾斜部２４と仮想直線ｅ２６間の角度（鋭角の角度）はα２２であり、また、第２傾斜部２４と第１傾斜部２２間の角度（端部ｍ２１と端部ｍ２３を結ぶ直線２８側の角度（仮想直線ｅ２６側の角度としてもよい））はα２３となっている。第２傾斜部２４は、一方の端部である第１傾斜部２２との接触点ｍ２２と他方の端部ｍ２３間に直線状に形成されている。
【００６７】
また、第２傾斜部２４の第１傾斜部２２との接触点ｍ２２は、第２傾斜部２４のｍ２３よりも開封方向において前側（Ｘ１側）にある。
【００６８】
また、開封方向前側（Ｘ１側）の切込み２０の第２傾斜部２４の後端の端部ｍ２３からの第２傾斜部２４のジッパー開封方向において後側への延長線（直線状の延長線）（仮想延長線）ｆ２４が、第１傾斜部２２と交わるようになっている。つまり、ある切込み２０の第２傾斜部２４の延長線ｆ２４が、開封方向に隣接する切込み２０の第１傾斜部２２と交わる。
【００６９】
ここで、第１傾斜部２２の長さ（第１傾斜部２２に沿った長さ）と第２傾斜部２４の長さ（第２傾斜部２４に沿った長さ）とを比較すると、第２傾斜部２４が第１傾斜部２２よりも長く形成され、第２傾斜部２４の長さが第１傾斜部２２の長さの２〜３倍に形成されている。
【００７０】
また、角度α２１と角度α２２とを比較すると、角度α２１が角度α２２よりも大きく形成されている（α２１＞α２２）。例えば、角度α２１は５５〜７５度で、角度α２２は５〜２０度に形成されている（なお、角度α２１、α２２は他の角度でもよい）。なお、角度α２１の角度の値は、角度α２２の角度の値の３倍以上（より好適には５倍以上）の角度の値とするのが好ましい。
【００７１】
また、角度α２３は、鈍角に形成され、例えば、１０５〜１２５度に形成されている（なお、角度α２３は他の角度でもよい）。
【００７２】
なお、１つの切目線Ａ２において、切込み２０は同じ構成であり、隣接する切込み２０間の間隔は、原則として同一に形成され、少なくともジッパーＡが直線状に形成されている場合には、隣接する切込み２０間の間隔は、同一に形成されている。
【００７３】
また、切込みＡ３は、略コ字状を呈し、Ｘ２側に開口した略コ字状を呈している。つまり、切込みＡ３は、直線状の切込み３２と、直線状の切込み３４と、切込み３２と切込み３４のＸ１側（切れ目線Ａ１、Ａ２側とは反対側）の端部間を結び、該中心線Ａｈに対して直角をなす切込み３６とを有している。切込み３２は、切れ目線Ａ１における切込みＡ３側の３つの切込み１０において、隣接する２つの交点ｍ１４（交点ｍ１４は、切込み１０における第２傾斜部１４から第１傾斜部１２への延長線ｆ１４と第１傾斜部１２との交点である（図３参照））を結ぶ仮想直線の延長線上に形成されている。つまり、切込み３２に最も近接する１番目の切込み１０と、１番目の切込み１０とジッパー開封方向に隣接する２番目の切込み１０と、２番目の切込み１０とジッパー開封方向に隣接する３番目の切込み１０において、１番目の切込み１０の第２傾斜部１４の延長線ｆ１４と２番目の切込み１０の第１傾斜部１２との交点ｍ１４と、２番目の切込み１０の第２傾斜部１４の延長線ｆ１４と３番目の切込み１０の第１傾斜部１２との交点ｍ１４とを結ぶ仮想直線の延長線上に形成されている。
【００７４】
同様に、切込み３４は、切れ目線Ａ２における切込みＡ３側の３つの切込み２０において、隣接する２つの交点ｍ２４（交点ｍ２４は、切込み２０における第２傾斜部２４から第１傾斜部２２への延長線ｆ２４と第１傾斜部２２との交点である（図４参照））を結ぶ仮想直線の延長線上に形成されている。
この切込みＡ３により囲まれた領域（つまり、切込みＡ３と、切込み３２のＸ２側の端部と切込み３４のＸ２側の端部とを結ぶ直線により囲まれた領域）が、片部３０となる。
【００７５】
ジッパーＡの使用に際しては、片部３０を起こして手でつかみ、Ｘ２方向（開封方向）に引っぱることにより、隣接する切込み１０間の隙間と隣接する切込み２０間の隙間が破れてジッパーＡがブランクから分離する。これにより、帯状部４０がブランクから分離し、ブランクには帯状部４０を分離した後の隙間５０が形成される。ブランクには、この隙間の両側に切断面５２、５４が形成される。
【００７６】
例えば、ジッパーＡをカートンに適用した例は、図５、図６に示すようになり、図５、図６に示すカートンＫ１は、スリーブ状部１０５と、底面部１５０と、蓋部１９２と、差込み片部１９４と、フラップ部１９６、１９８とを有している。
【００７７】
スリーブ状部１０５は、正面部１１０と、右側面部１２０と、左側面部１３０と、背面部１４０と、糊代部１４２とを有していて、カートンＫ１の側面部を構成する。糊代部１４２は、右側面部１２０の背面側の端部（具体的には、背面側の端部の内側の面）に接着されている。
【００７８】
また、底面部１５０は、いわゆるワンタッチ底であり、第１片部１６０と、第２片部１７０と、第３片部１８０と、第４片部１９０とを有している。
【００７９】
第２片部１７０は、折れ線１７０−１を介して本体部１７２と先端部１７４とに区画される。本体部１７２の先端の先端部１７４側には、他方の本体部１８２と互いに係止するように切欠部１７２ａが形成されている。先端部１７４の上面は、第４片部１９０の下面に接着されている。カートンＫ１を折り畳んだ状態とした際に、第２片部１７０は、折れ線１７０−１を介して折り返した状態となる。
【００８０】
また、第３片部１８０は、折れ線１８０−１を介して本体部１８２と先端部１８４とに区画される。本体部１８２の先端の先端部１８４側には、他方の本体部１７２と互いに係止するように切欠部１８２ａが形成されている。先端部１８４の上面は、第１片部１６０の下面に接着されている。カートンＫ１を折り畳んだ状態とした際に、第３片部１８０は、折れ線１８０−１を介して折り返した状態となる。
【００８１】
ジッパーＡは、カートンＫ１に２つ形成され、一方のジッパーＡ−１は、正面部１１０の左右方向の中央から右側面部１２０の背面側の上端に向けて形成され、他方のジッパーＡ−２は、正面部１１０の左右方向の中央から左側面部１３０の背面側の上端に向けて形成されている。ジッパーＡ−１、Ａ−２はともにジッパーＡと同一の構成である。
【００８２】
ジッパーＡ−１を破断するには、ジッパーＡ−１の片部３０を手前に起こして手でつまみ、正面部１１０に対して手前に引っぱった後に、右側面部１２０に対して手前に引っぱり、ジッパーＡ−２を破断するには、ジッパーＡ−２の片部３０を手前に起こして手でつまみ、正面部１１０に対して手前に引っぱった後に、左側面部１３０に対して手前に引っぱる。以上のように、ジッパーＡ−１、Ａ−２を破断して、左側面部１３０の上側の領域とフラップ部１９８と正面部１１０の上側の領域と右側面部１２０の上側の領域とフラップ部１９６をカートンＫ１から分離する。
【００８３】
ここで、ジッパーＡにおいては、第２傾斜部１４の後端の端部ｍ１３からの第２傾斜部１４の延長線ｆ１４が、次の切込み１０における第１傾斜部１２と交わり、また、第２傾斜部２４の後端の端部ｍ２３からの第２傾斜部２４の延長線ｆ２４が、次の切込み２０における第１傾斜部２２と交わるので、第１傾斜部１２、２２により破断力を広く受け止めることができ、図１３に示す従来例のように剥離を生じるおそれが少ない。よって、ブランクの切断面５２、５４の見栄えをよくすることができる（図７参照）。また、第２傾斜部１４、２４からの破断力を第１傾斜部１２、２２により広く受け止め、第１傾斜部１２、２２以外に１つ前の切込み１０、２０の第２傾斜部１４、２４からの破断力を直接受け止める切込みがないので（例えば、第２傾斜部１４、２４の前側の端部は、１つ前の切込み１０、２０の第２傾斜部１４、２４の延長線からずれているので、第２傾斜部１４、２４により第２傾斜部１４、２４からの破断力を直接受け止めることはない）、破断の際の感触を一定にできて円滑な破断を行なうことができる。また、剥離を生じるおそれが少ないので、その分少ない力で破断を行なうことができる。
【００８４】
また、第１傾斜部１２、２２が開封方向に対する直角方向に対して傾斜しており、第１傾斜部１２、２２の第２傾斜部１４、２４側が開封方向後側（Ｘ２側）となっている（つまり、接触点ｍ１２が端部ｍ１１よりも後側にあり、接触点ｍ２２が端部２１よりも後側にある）ので、第１傾斜部１２、２２に伝えられた破断力をスムーズに第２傾斜部１４、２４に伝えることができる。よって、少ない力で破断を行なうことができる。
【００８５】
また、角度α１１が角度α１２よりも大きく、角度α２１が角度α２２よりも大きい（α１１＞α１２、α２１＞α２２）ので、第１傾斜部１２、２２の仮想直線ｅ１６、ｅ２６に対する傾斜が大きく、第１傾斜部１２、２２からの破断力が第２傾斜部１４、２４に伝わりやすく、ブランクの紙材の剥離が起こりにくい。よって、図７に示すように、ブランクの切断面５２、５４の見栄えをよくすることができる。すなわち、α１１＜α１２、α２１＜α２２であるとすると、第１傾斜部１２、２２の仮想直線ｅ１６、ｅ２６に対する傾斜が小さくなり、第２傾斜部１４、２４の仮想直線ｅ１６、ｅ２６に対する傾斜が大きくなるので、第１傾斜部１２、２２からの破断力が第２傾斜部１４、２４に伝わるよりも、ブランクの紙材を剥離する方に使われてしまい、剥離が起こりやすくなるが、本実施例の場合には、そのようなおそれが小さい。
【実施例２】
【００８６】
次に、本発明に基づくカートン用切断構造としての切れ目線Ｂは、図８に示すように構成され、切れ目線Ｂ１と、切れ目線Ｂ１の開封方向前側に形成された切込み３８、３９とを有している。
【００８７】
ここで、切れ目線Ｂ１は、複数の切込み２０を間隔を介して一列に配設したもので、切れ目線Ｂ１は、切れ目線Ａ２と同様の構成であり、切込み２０の構成は、実施例１における切込み２０と同様の構成であるので、詳しい説明を省略する。つまり、切込み２０は、第１傾斜部２２と、第２傾斜部２４とを有する。
【００８８】
また、切込み３８、３９は、直線状に形成され、切れ目線Ｂ１における切込み３８、３９側の３つの切込み２０において、隣接する２つの交点ｍ２４（交点ｍ２４は、切込み２０における第２傾斜部２４から第１傾斜部２２への延長線ｆ１４と第１傾斜部２２との交点である（図４参照））を結ぶ仮想直線の延長線上に形成されている。つまり、切込み３８、３９に最も近接する１番目の切込み２０と、１番目の切込み２０とジッパー開封方向に隣接する２番目の切込み２０と、２番目の切込み２０とジッパー開封方向に隣接する３番目の切込み２０において、１番目の切込み２０の第２傾斜部２４の延長線ｆ２４と２番目の切込み２０の第１傾斜部２２との交点ｍ２４と、２番目の切込み２０の第２傾斜部２４の延長線ｆ２４と３番目の切込み２０の第１傾斜部２２との交点ｍ２４とを結ぶ仮想直線の延長線上に形成されている。なお、開封方向に沿っては、切込み３８、切込み３９、切れ目線Ｂ１の順に形成されている。
【００８９】
なお、実施例２の切れ目線Ｂにおいては、図８における切れ目線Ｂの上側を切取り側とし、切れ目線Ｂの下側を残す側とする。すなわち、実施例１のジッパーＡにおいて、切れ目線Ａ２の上側が帯状部４０として切り取る側であるので、切れ目線Ｂにおいても上側を切り取り側とする。
【００９０】
切れ目線Ｂの使用に際しては、切込み３８から破断を開始して、Ｘ２方向（開封方向）に切れ目線Ｂを破断することにより、切れ目線Ｂを形成したブランクが切断される。なお、切れ目線開封方向（「切れ目線破断方向」としてもよい）は、Ｘ１側からＸ２側への方向であり、Ｘ１側が切れ目線開封方向において前側であり、Ｘ２側が切れ目線開封方向において後側である。本実施例の切れ目線開封方向と実施例１のジッパー開封方向は、同じ方向であり、実施例１のジッパー開封方向の代わりに、切れ目線開封方向となっている。
【００９１】
また、端部ｍ２１と接触点ｍ２２とが、仮想直線ｅ２６を介して両側に配置され、第１傾斜部２２が、端部ｍ２１が接触点ｍ２２よりも切れ目線開封方向において前側に位置するように仮想直線ｅ２６に対して傾斜している。仮想直線ｅ２６は、切れ目線Ｂの開封方向に形成され、端部ｍ２３を通る直線である。
【００９２】
例えば、切れ目線Ｂをカートンに適用した例は、図９、図１０に示すようになり、カートンＫ２において、切込み３８、３９は左側面部１３０の背面側上端に形成され、切込み３９に隣接して、切れ目線Ｂ１の始端が位置し、切れ目線Ｂ１が左側面部１３０を背面側から正面側に向けて斜め下方に形成され、その後、正面部１１０において、左側面側から右側面側に水平に形成され、その後、右側面部１２０において、正面側から背面側に向けて斜め上方に形成され、切れ目線Ｂ１の終端は右側面部１２０の背面側上端に位置している。なお、カートンＫ２は、カートンＫ１におけるジッパーＡ−１、Ａ−２の代わりに切目線Ｂとしたものであり、カートンＫ２において、切目線Ｂ以外の構成は、カートンＫ１と同一の構成となっている。
【００９３】
切れ目線Ｂの破断に際しては、左側面部１３０の切れ目線Ｂよりも上側の領域を手につかんで、つかんだ左側面部１３０の上側の領域を手前に引っぱって、左側面部１３０における切れ目線Ｂを破断し、その後、正面部１１０の切れ目線Ｂよりも上側の領域を手につかんで、つかんだ正面部１１０の上側の領域を手前に引っぱって、正面部１１０における切れ目線Ｂを破断し、その後、右側面部１２０の切れ目線Ｂよりも上側の領域を手につかんで、つかんだ右側面部１２０の上側の領域を手前に引っぱって、右側面部１２０における切れ目線Ｂを破断することにより、左側面部１３０の上側の領域及びフラップ部１９８と正面部１１０の上側の領域と右側面部１２０の上側の領域及びフラップ部１９６をカートンＫ２から分離する。
【００９４】
切れ目線Ｂによる作用・効果は、実施例１のジッパーＡの場合と同様である。すなわち、第２傾斜部２４の後端の端部ｍ２３からの第２傾斜部２４の延長線が、次の切込み２０における第１傾斜部２２と交わるので、第１傾斜部２２により破断力を広く受け止めることができ、図１３に示す従来例のように剥離を生じるおそれが少ない。よって、ブランクの切断面（図８の切れ目線Ｂの下側の領域の切断面、カートンＫ２では、左側面部１３０の下側領域と正面部１１０の下側領域と右側面部１２０の下側領域の切断面）の見栄えをよくすることができる。また、第２傾斜部２４からの破断力を第１傾斜部２２により広く受け止め、第１傾斜部２２以外に第２傾斜部２４からの破断力を直接受け止める切込みがないので（例えば、第２傾斜部２４の前側の端部は、１つ前の切込み２０の第２傾斜部２４の延長線からずれているので、第２傾斜部２４により第２傾斜部２４からの破断力を直接受け止めることはない）、破断の際の感触を一定にできて円滑な破断を行なうことができる。
【００９５】
また、第１傾斜部２２が開封方向に対する直角方向に対して傾斜しており、第１傾斜部２２の第２傾斜部２４側が開封方向後側となっている（つまり、接触点ｍ２２が端部ｍ２１よりも後側にある）ので、第１傾斜部２２に伝えられた破断力をスムーズに第２傾斜部２４に伝えることができる。よって、少ない力で破断を行なうことができる。
【００９６】
また、角度α２１が角度α２２よりも大きい（α２１＞α２２）ので、第１傾斜部２２の仮想直線ｅ２６に対する傾斜が大きく、第１傾斜部２２からの破断力が第２傾斜部２４に伝わりやすく、ブランクの紙材の剥離が起こりにくい。よって、ブランクの切断面（図８の切れ目線Ｂの下側の領域の切断面）の見栄えをよくすることができる。
【００９７】
なお、切れ目線Ｂは、切れ目線Ｂよりも上側の領域を切り取る（すなわち、除去する）場合の例であり、切れ目線よりも下側の領域を切り取る場合には、図１１に示すように、切れ目線Ｂ１として、切れ目線Ａ１の構成の切れ目線（つまり、切込み１０を用いた切れ目線）を使用することになる。その場合の作用・効果は、上記と同様である。
【００９８】
なお、上記実施例１のジッパーＡの切込み１０の変形例として、第１傾斜部１２と第２傾斜部１４間の角部にアール部が設けられてもよく、切込み２０において、第１傾斜部２２と第２傾斜部２４間の角部にアール部が設けられていてもよい。また、実施例２の切れ目線Ｂにおいても同様に、切込み２０において、第１傾斜部２２と第２傾斜部２４間の角部にアール部が設けられていてもよい。
【００９９】
すなわち、変形例としての切込み１０は、図１２に示すように構成され、第１傾斜部１２と第２傾斜部１４間にアール部（アール状部としてもよい。他においても同じ）１３が設けられている。このようにアール部１３が設けられるのは、切込み１０を形成するための刃の精度により刃の屈曲する部分がアール状にならざるを得ない場合があることに起因する。
【０１００】
すなわち、アール部１３は、第１傾斜部１２の一方の端部である接触点（第１接触点）ｍ１２ａと第２傾斜部１４の一方の端部である接触点（第２接触点）ｍ１２ｂ間に形成され、円弧状（略円弧状としてもよい）を呈し、接触点ｍ１２ａで第１傾斜部１２と接するとともに、接触点ｍ１２ｂで第２傾斜部１４と接している。つまり、アール部１３は、第１傾斜部１２と第２傾斜部１４間の角部を円弧状（略円弧状としてもよい）に面取りしたものであり、アール部１３の接触点ｍ１２ａにおける接線は、第１傾斜部１２及びその延長線と一致し（第１傾斜部１２は、アール部１３の接触点ｍ１２ａにおける接線となるとしてもよい）、アール部１３の接触点ｍ１２ｂにおける接線は、第２傾斜部１４及びその延長線と一致する（第２傾斜部１４は、アール部１３の接触点ｍ１２ｂにおける接線となるとしてもよい）。
【０１０１】
図１２に示す切込み１０の構成は、アール部１３が設けられている点以外は上記実施例１や実施例２の切込み１０と同様の構成である。
【０１０２】
すなわち、第１傾斜部１２の両側の端部、すなわち、端部ｍ１１と接触点ｍ１２ａとが、仮想直線ｅ１６を介して両側に配置され、端部ｍ１１が接触点ｍ１２ａよりもジッパー開封方向において前側に位置するように、第１傾斜部１２が仮想直線ｅ１６に対して傾斜して形成され、第１傾斜部１２と仮想直線ｅ１６間の角度（第２傾斜部１４側の角度）α１１は鋭角となっている。
【０１０３】
また、第２傾斜部１４は、仮想直線ｅ１６に対して傾斜して形成され、第２傾斜部１４の仮想直線ｅ１６との間の角度α１２は鋭角となっている。なお、角度α１１は、角度α１２よりも大きく形成されている。
【０１０４】
また、第１傾斜部１２と第２傾斜部１４間の角度α１３（つまり、第１傾斜部１２の延長線と第２傾斜部１４の延長線との交点ｍ１２’を中心とした角度で、端部ｍ１１と端部ｍ１３とを結ぶ直線１８側の角度）が鈍角となっている。
【０１０５】
なお、第２傾斜部１４のジッパー開封方向における後側への延長線（仮想延長線）ｆ１４はジッパー開封方向において後側に隣接する他の切込み１０の第１傾斜部１２と交わる。
【０１０６】
なお、図１２に示す構成の切込み１０を用いた場合の作用・効果は、アール部１３が設けられていない切込み１０（図１〜図４に示す切込み１０）と同様である。
【０１０７】
すなわち、図１２に示す切込み１０においては、第２傾斜部１４の後端の端部ｍ１３からの第２傾斜部１４の延長線ｆ１４が、次の切込み１０における第１傾斜部１２と交わるので、第１傾斜部１２により破断力を広く受け止めることができ、図１３に示す従来例のように剥離を生じるおそれが少ない。よって、ブランクの切断面の見栄えをよくすることができる。また、第２傾斜部１４からの破断力を第１傾斜部１２により広く受け止め、第１傾斜部１２以外に直前の切込み１０の第２傾斜部１４からの破断力を直接受け止める切込みがないので、破断の際の感触を一定にできて円滑な破断を行なうことができる。
【０１０８】
また、第１傾斜部１２が開封方向に対する直角方向に対して傾斜しており、第１傾斜部１２の第２傾斜部１４側が開封方向後側となっている（つまり、接触点ｍ１２ａが端部ｍ１１よりも後側にある）ので、第１傾斜部１２に伝えられた破断力をスムーズに第２傾斜部１４に伝えることができる。よって、少ない力で破断を行なうことができる。
【０１０９】
また、角度α１１が角度α１２よりも大きい（α１１＞α１２）ので、第１傾斜部１２の仮想直線ｅ１６に対する傾斜が大きく、第１傾斜部１２からの破断力が第２傾斜部１４に伝わりやすく、ブランクの紙材の剥離が起こりにくい。よって、ブランクの切断面の見栄えをよくすることができる。
【０１１０】
なお、実施例１や実施例２における切込み２０において、第１傾斜部２２と第２傾斜部２４間の角部にアール部が設けられた構成は、図１２に示す切込み１０に対して仮想直線ｅ１６と平行な直線を介して対称の構成となる以外は同様の構成であるので、詳しい説明を省略する。
【０１１１】
また、実施例１や実施例２における切込み２０において、第１傾斜部２２と第２傾斜部２４間の角部にアール部が設けられた構成の作用・効果は、図１２に示す切込み１０の場合と同様である。
【符号の説明】
【０１１２】
Ａ  ジッパー
Ａ１、Ａ２、Ｂ、Ｂ１  切れ目線
１０、２０、３８、３９  Ａ３  切込み
１２、２２  第１傾斜部
１３  アール部
１４、２４  第２傾斜部
１８、２８  直線
３０  片部
４０  帯状部
５０  隙間
５２、５４  切断面
ｅ１６、ｅ２６  仮想直線
Ａｈ  中心線
ｍ１１、ｍ１３、ｍ２１、ｍ２３  端部
ｍ１２、ｍ１２ａ、ｍ１２ｂ、ｍ２２  接触点
Ｋ１、Ｋ２  カートン
【図１】
2016196309.tif 000003
【図２】
2016196309.tif 000004
【図３】
2016196309.tif 000005
【図４】
2016196309.tif 000006
【図５】
2016196309.tif 000007
【図６】
2016196309.tif 000008
【図７】
2016196309.tif 000009
【図８】
2016196309.tif 000010
【図９】
2016196309.tif 000011
【図１０】
2016196309.tif 000012
【図１１】
2016196309.tif 000013
【図１２】
2016196309.tif 000014
【図１３】
2016196309.tif 000015
【図１４】
2016196309.tif 000016
【図１５】
2016196309.tif 000017
【図１６】
2016196309.tif 000018